(57)【要約】【課題】ドキュメント内にリンクのランキングを表示するための方法及びシステムを提供する。【解決手段】方法は、コンピューティング装置に表示するためのドキュメントを要求し、ドキュメント内でリンクを識別し、それらリンクにランクを指定し、そして指定されたランクの少なくともサブセットをドキュメント内に表示することを含む。【選択図】図１
2010515142.tif 000002
【特許請求の範囲】
【請求項１】
コンピューティング装置に表示するためのドキュメントを要求するステップと、
前記ドキュメント内のリンクを識別するステップと、
前記リンクにランクを指定するステップと、
前記指定されたランクの少なくともサブセットを前記ドキュメント内に表示するステップと、
を備えた方法。
【請求項２】
ランクを指定する前記ステップは、
各リンクに関連したデータを検索する段階と、
前記データを使用して各リンクに対するランクを計算する段階と、
を含む請求項１に記載の方法。
【請求項３】
前記指定されたランクのサブセットを前記ドキュメント上に重畳するステップを更に備えた、請求項１に記載の方法。
【請求項４】
各表示されるランクをその関連リンクの付近に配置するステップを更に備えた、請求項１に記載の方法。
【請求項５】
前記ランキングを記号と共に指示するステップを更に備えた、請求項１に記載の方法。
【請求項６】
前記ランキングをキャラクタと共に指示するステップを更に備えた、請求項１に記載の方法。
【請求項７】
前記ドキュメントは、ウェブページである、請求項１に記載の方法。
【請求項８】
コンピューティング装置に表示するためのドキュメントを要求するブラウザと、
前記ドキュメント内のリンクを識別して、それらリンクにランクを指定するように構成されたプロセッサと、
前記指定されたランクの少なくともサブセットを前記ドキュメント内に表示するディスプレイと、
を備えた装置。
【請求項９】
前記プロセッサは、
各リンクに関連したデータを検索し、
前記データを使用して各リンクに対するランクを計算する、
ことによりランクを指定するように構成された、請求項８に記載の方法。
【請求項１０】
前記プロセッサは、前記表示されたドキュメント上に前記指定されたランクのサブセットを重畳するように動作する、請求項８に記載の方法。
【請求項１１】
前記プロセッサは、各々の表示されるランクを前記表示されたドキュメント上で関連リンクの付近に配置するように動作する、請求項８に記載の方法。
【請求項１２】
前記プロセッサは、前記表示されたドキュメント上で前記ランキングを記号と共に指示するように動作する、請求項８に記載の方法。
【請求項１３】
前記プロセッサは、前記表示されたドキュメント上で前記ランキングをキャラクタと共に指示するように動作する、請求項８に記載の方法。
【請求項１４】
前記ドキュメントは、ウェブページである、請求項８に記載の方法。
【請求項１５】
コンピューティング装置に表示するためのドキュメントを要求する手段と、
前記ドキュメント内のリンクを識別して、前記リンクにランクを指定する手段と、
前記指定されたランクの少なくともサブセットを前記ドキュメント内に表示するための手段と、
を備えた装置。
【請求項１６】
ランクを指定する前記手段は、
各リンクに関連したデータを検索し、
前記データを使用して各リンクに対するランクを計算する、
というように構成された、請求項１５に記載の装置。
【請求項１７】
表示するための前記手段は、前記指定されたランクのサブセットを前記表示されたドキュメント上に重畳するように動作する、請求項１５に記載の装置。
【請求項１８】
表示するための前記手段は、各表示されるランクを、前記表示されたドキュメント上でその関連リンクの付近に配置するように動作する、請求項１５に記載の装置。
【請求項１９】
コンピューティング装置を使用してドキュメントを要求するための入力装置と、
前記ドキュメントを表示するために前記コンピューティング装置に接続されたディスプレイと、
を備え、前記コンピューティング装置は、前記ドキュメント内のリンクを識別し、前記リンクにランクを指定し、そして前記指定されたランクの少なくともサブセットを前記ドキュメント内に表示するように構成された、ユーザインターフェイス。
【請求項２０】
前記コンピューティング装置は、
各リンクに関連したデータを検索し、
前記データを使用して各リンクに対するランクを計算する、
ことによりランクを指定するように構成された、請求項１９に記載のユーザインターフェイス。
【請求項２１】
前記コンピューティング装置は、前記指定されたランクのサブセットを前記表示されたドキュメント上に重畳するよう動作する、請求項１９に記載のユーザインターフェイス。
【請求項２２】
前記コンピューティング装置は、各表示されるランクを、前記表示されたドキュメント上でその関連リンクの付近に配置するように動作する、請求項１９に記載のユーザインターフェイス。
【請求項２３】
前記コンピューティング装置は、前記表示されたドキュメント上で前記ランキングを記号と共に指示するように動作する、請求項１９に記載のユーザインターフェイス。
【請求項２４】
前記コンピューティング装置は、前記表示されたドキュメント上で前記ランキングをキャラクタと共に指示するように動作する、請求項１９に記載のユーザインターフェイス。
【請求項２５】
前記ドキュメントは、ウェブページである、請求項１９に記載のユーザインターフェイス。
【請求項２６】
コンピュータがドキュメントを表示するようにさせるためにコンピュータ読み取り可能なコード手段が実施されたコンピュータ使用可能な媒体を備え、コンピュータプログラム製品におけるコンピュータ読み取り可能なコード手段は、
コンピューティング装置に表示するためのドキュメントを要求するコンピュータ読み取り可能なプログラムコード手段と、
前記ドキュメント内のリンクを識別して、前記リンクにランクを指定するコンピュータ読み取り可能なプログラムコード手段と、
前記指定されたランクの少なくともサブセットを前記ドキュメント内に表示するためのコンピュータ読み取り可能なプログラムコード手段と、
を備えたコンピュータプログラム製品。
【請求項２７】
各リンクに関連したデータを検索し、そして前記データを使用して各リンクに対するランクを計算することによりランクを指定するためのコンピュータ読み取り可能なプログラムコード手段を更に備えた、請求項２６に記載のコンピュータプログラム製品。
【請求項２８】
前記指定されたランクのサブセットを前記表示されたドキュメント上に重畳するためのコンピュータ読み取り可能なプログラムコード手段を更に備えた、請求項２６に記載のコンピュータプログラム製品。
【請求項２９】
各表示されるランクを、前記表示されたドキュメント上でその関連リンクの付近に配置するためのコンピュータ読み取り可能なプログラムコード手段を更に備えた、請求項２６に記載のコンピュータプログラム製品。
【発明の詳細な説明】
【技術分野】
【０００１】
ここに開示する実施形態は、一般的に、ドキュメントを表示することに係り、より詳細には、ドキュメント内にリンクのランキングを表示することに係る。
【背景技術】
【０００２】
ドキュメントは、これを表示するときには、そのドキュメント内の他の位置又は他のドキュメントを指す多数の関連リンクを含むことができる。現在、ドキュメント内にリンクのランキングは表示されず、又、その視覚インジケータもなく、例えば、どのリンクが最も人気があるか、或いはドキュメントを訪れたりそれを見たりするときに他の者がどんなチョイス、選択又は更なるナビゲーションを行うか調べることができない。
【発明の概要】
【発明が解決しようとする課題】
【０００３】
ドキュメントを表示して見るときにはドキュメント内にリンクのランキングを指示するのが効果的であろう。
【課題を解決するための手段】
【０００４】
一実施形態において、方法は、コンピューティング装置に表示するためのドキュメントを要求するステップと、ドキュメント内のリンクを識別するステップと、それらリンクにランクを指定するステップと、指定されたランクの少なくともサブセットをドキュメント内に表示するステップとを備えている。
【０００５】
別の実施形態において、装置は、コンピューティング装置に表示するためのドキュメントを要求するブラウザと、ドキュメント内のリンクを識別しそしてそれらリンクにランクを指定するように構成されたプロセッサと、指定されたランクの少なくともサブセットをドキュメント内に表示するディスプレイとを備えている。
【０００６】
ここに開示する実施形態の前記態様及び他の特徴は、添付図面を参照して以下に詳細に説明する。
【図面の簡単な説明】
【０００７】
【図１】ここに開示する実施形態を具現化するのに適したシステムを示すブロック図である。
【図２】ここに開示する実施形態を具現化するのに適したコンピューティング装置の実施形態を示す。
【図３】ここに開示する実施形態に使用するのに適したユーザインターフェイスの実施形態を示す。
【図４】ここに開示する実施形態に使用するのに適したユーザインターフェイスの実施形態を示す。
【図５】ここに開示する実施形態に使用するのに適したユーザインターフェイスの実施形態を示す。
【図６】ここに開示する実施形態に使用するのに適したユーザインターフェイスの実施形態を示す。
【図７】ここに開示する実施形態を具現化するのに適した移動装置を例示する。
【図８】ここに開示する実施形態を具現化するのに適した別の移動装置のブロック図である。
【図９】図７及び８の移動装置の一般的アーキテクチャーを示すブロック図である。
【図１０】ここに開示する実施形態の態様を具現化できる通信システムの概略図の一例を示す。
【図１１】ここに開示する実施形態の態様を具現化するのに使用できる特徴を組み込んだ装置の一例のブロック図である。
【図１２】ここに開示する実施形態による方法のフローチャートである。
【発明を実施するための形態】
【０００８】
図１は、ここに開示する実施形態を具現化するのに適したシステム１００のブロック図である。ここに開示する実施形態を、添付図面を参照して説明するが、多数の別の形態で実施されてもよいことを理解されたい。更に、任意の適当なサイズ、形状又は形式の要素又は材料を使用できることも理解されたい。
【０００９】
ここに開示する実施形態は、一般的に、コンピューティング装置１１０のユーザ１０５がドキュメント１１５を見ることができるようにする。ドキュメント１１５に存在し得るリンク１２０は、ランキング１２５又はその視覚インジケータで指示される。典型的に、ユーザがドキュメントを要求する。ここに開示する実施形態は、要求されたドキュメントを、存在し得るリンクについて検査することを含む。リンクが分析され、ランキングが指定され、そしてランキングインジケータ及びリンクをドキュメント内に表示することができる。ランキングは、適当な視覚化、例えば、数字、文字、映像、又は認識可能な記号で指示することができる。インジケータは、いかなる希望のフォント、カラー、サイズでもよく、明滅、変化する形状又は音響、或いはオーディオ効果の発生のような能動的形態で存在するようにフォーマットすることができる。別の実施形態では、適当なビジュアル、オーディオ、又はオーディオビジュアル効果を、インジケータとして使用することができる。一実施形態では、リンクのサブセット、例えば、上位１０位だけが指示される。指示されたランクは、ドキュメント内、例えば、関連リンクの付近に表示される。一般的に、ドキュメントの表示には影響がなく、ランキングインジケータはドキュメントに重畳される。従って、ここに開示する実施形態は、見ているドキュメントに関する付加的な情報を与え、どこへナビゲートするかについてアドバイスを希望するユーザに支援を与え、又、ドキュメントを見た他の者の振舞いに関する情報を与えることができる。ここで使用する「ランク」という語は、一般的に、リンク又はウェブページに指定されたプライオリティ又は重要性を指すことが意図される。これは、例えば、手動で指定されるランキング又は自動的に発生されるランキングを含むことができる。ランキングは、例えば、リンクがアクセスされるか又はページを訪れる回数を含む多数のファクタに基づくことができる。
【００１０】
ここに開示する実施形態は、「ドキュメント」を参照して説明するが、ここに開示する実施形態の目的として、ドキュメントは、ウェブサイト又は「ウェブページ」からの情報、ＨＴＭＬ又はＸＭＬドキュメント、テキストドキュメント、スプレッドシート、グラフィックプレゼンテーション、パワーポイントプレゼンテーション、ＰＤＦドキュメント、マルチメディアファイル、又は少なくとも１つのリンクを含む他の適当な情報プレゼンテーションフォーマットを含むことができる。ドキュメントは、コンピューティング装置１１０内にローカル記憶されてもよいし、又はリモート記憶されてもよい。リンクは、ドキュメント内の位置又は別のドキュメントへのリファレンス又は経路を含むことができる。リンクは、この技術で知られたハイパーテキストを含むことができる。
【００１１】
別の実施形態では、ここに開示する実施形態は、ドキュメントを表示することのできるマシン、例えば、リーダー又はブラウザに係る。一実施形態では、ブラウザ１３０は、例えば、インターネットのようなネットワーク１３５から情報を要求するのに使用される。情報は、記憶したり見出したりするのに適した情報、例えば、ドキュメント又はファイルを含むことができる。ここで一般的にドキュメントと称される情報は、例えば、インターネット又はワールドワイドウェブにおいて入手できる情報を含むと共に、テキスト、映像、グラフィック、写真、ビデオ、又は他のマルチメディア情報を含むことができる。リーダーは、インターネット又はワールドワイドウェブを含むもの以外の環境からドキュメントを読み取り且つそれを配信することができる。
【００１２】
再び図１を参照すると、ユーザ１０５は、コンピューティング装置１１０上のブラウザ又はブラウザプラグイン１３０を使用してネットワーク１３５をブラウズすることができる。コンピューティング装置１１０は、例えば、パーソナルコンピュータ、又は表示機能を有する他の装置でよい。ここに開示する実施形態は、ここでは、ネットワークからドキュメント又はウェブページを得るものとして説明するが、ドキュメント又はウェブページは、いかなる適当な媒体から得られてもよい。ブラウザは、一般的に、ここに述べるファンクションを含んでもよいし、又はここに述べるファンクションを実施するインストール型プラグインを含んでもよい。
【００１３】
「ブラウザ」又は「ブラウジング」という語は、ここでは既知の意味で使用され、一般的には、ユーザが、ドキュメント内を、あるドキュメントから別のドキュメントへ、あるウェブページ又はウェブサイトから別のウェブページ又はウェブサイトへ移動するのを許すと共に、更に、ワールドワイドウェブ及びインターネットからのものを含めて、ドキュメントを表示するのを許すソフトウェアを意味し又はそれを指す。又、「ブラウザプラグイン」という語は、一般的に、１つ以上の特徴又はファンクションを、例えば、ウェブブラウザのようなブラウザに追加するためにインストールできる１つ以上のプログラムを指すのに使用される。ここでは、「ブラウザ」及び「ブラウザプラグイン」という語が使用されるが、ここに開示する実施形態の範囲は、このような用語の使用により制限されるものではなく、そして別の実施形態では、ドキュメント及びウェブページを見たり検索したりする能力を発揮し且つ特徴を付加する適当なプログラム（１つ又は複数）、装置（１つ又は複数）又はシステムが使用されてもよい。ここに開示する実施形態の目的として、ブラウザという語は、ブラウザプラグインも指す。
【００１４】
ユーザ１０５は、ブラウザ１３０がデータ又は情報を例えばコンピュータ１４０からネットワーク１３５を通してダウンロードすることを命令又は要求することができる。情報は、通常、ドキュメント、ファイル、或いはウェブサイトのウェブページの形態である。入手、検索又はダウンロードすることのできるデータ、ファイル又は情報の形態が、ここに開示する実施形態の範囲に関して何ら制限することはない。別の実施形態では、ユーザ１０５は、情報及びデータをローカルでダウンロードするか又はネットワーク１３５からダウンロードするのに適した任意のシステム又は装置を使用することができる。
【００１５】
図１の例ではコンピューティング装置１１０のディスプレイ１４５であるブラウザのユーザインターフェイスに対してドキュメント１１５がレンダリングされるときには、任意のリンクが識別され、各リンクに関連したランキング情報が検索され又は計算される。ランキング情報は、それが決定されると、各リンクに対して表示される。少なくとも１つの実施形態では、ランキングは、ドキュメント内で、その関連リンクの付近に表示される。別の実施形態では、ランキング情報が表示される前に最初にドキュメントがレンダリングされてもよいし、ドキュメントがレンダリングされる前にランキング情報が表示されてもよいし、又はドキュメントがレンダリングされる間にランキング情報が表示されてもよい。
【００１６】
リンクのランク付けは、種々の方法を使用して遂行することができる。例えば、リンクは、そのリンクがアクチベートされるか又はそれに対応するドキュメントがアクセスされた回数によって分類することができる。又、リンクは、ユーザにより与えられる格付けにより分類されてもよい。例えば、ドキュメントを見るときに、ユーザは、ドキュメントのコンテンツの格付けを与えることができる。次いで、リンクは、それらの各格付けに基づいて順次にランク付け又は分類される。他の適当なランク付けを使用してもよい。リンクの格付けに関連したランキングデータは、リンクに関連した個々のドキュメントと共に記憶されるか、又はリモートレポジトリーに記憶される。例えば、ランキングデータは、コンピュータ１４０に記憶されてもよい。１つ以上の実施形態では、ドキュメントにおけるリンクのランキングのサブセットのみが指示される。例えば、最高のランクをもつリンクのみが指示される。別の例では、上位ランク、例えば、上位５位までのランクをもつリンクのみが指示される。更に別の例では、最低のランクをもつリンクのみが指示される。明らかなように、ドキュメント内のリンクのランクを指示するための望ましい機構を使用することができる。
【００１７】
図２は、コンピューティング装置１１０の実施形態を示す。コンピューティング装置１１０は、ディスプレイ２１５及び入力装置２２０を含むユーザインターフェイス２１０を備えている。又、コンピューティング装置１１０は、このコンピューティング装置１１０がここに開示するオペレーション及び方法を遂行するようにさせるマシン読み取り可能なプログラムソースコードを記憶するためのデータ記憶装置２２５も有する。又、コンピューティング装置１１０は、ハードウェアにおいて種々のファンクションを遂行するための回路２３０も有する。
【００１８】
上述したように、表示されるドキュメントは、１つ以上のリンクを含む。コンピューティング装置１１０は、一般に、リンクを確認し、そしてリンクに関連したランキング又はランキングに関する視覚インジケータを表示するように装備される。コンピューティング装置１１０は、ここに述べるファンクションを遂行するためにデータ記憶装置２２５内のマシン読み取り可能なプログラムソースに含まれるルーチンを有する。更に、コンピューティング装置１１０は、ここに述べるファンクションを遂行するため、回路１３０を単独で又はルーチンと組み合わせて使用することができる。
【００１９】
コンピューティング装置１１０は、各リンクに対する格付け又はランクに関するデータをデータ記憶装置２２５又はリモート記憶位置から検索することができる。コンピューティング装置１１０は、ランキングデータからランクを計算するためにデータ記憶装置２２５内のマシン読み取り可能なプログラムソースに含まれた計算又は計算器ルーチンを有してもよいし、或いはランキングそれ自体を単に検索するだけでもよい。或いは又、コンピューティング装置１１０は、回路２３０を計算器として使用するか、或いはルーチン及び回路２３０を組み合わせて使用し、リンクを識別すると共に、それらのランクを決定してもよい。リンクのランキングが検索され又は決定されると、コンピューティング装置１１０は、それらをドキュメント１１５（図１）にオーバーレイとして与えることができる。
【００２０】
図３は、ここに述べるファンクションを遂行するためのユーザインターフェイスの実施形態を例示する。ユーザは、ブラウザ３０５を使用して、特定のドキュメント３１０、この例では、ウェブページへナビゲートする。ページ上のリンクに対してランキング情報が検索され、そして最高ランクのリンク、例えば、最も人気があるとも称される最高をアクセスしたリンク３１５が、ボックスでハイライト状態にされる。次に最も人気のあるリンク３２０は、楕円でハイライト状態にされる。
【００２１】
図４は、最も人気のあるリンク４１５が、黒い記号、この例ではハート、でハイライト状態にされ、次に最も人気のあるリンク４２０が明るい色の記号でハイライト状態にされる別の実施形態を示す。従って、異なる色又は形状の同じ記号を使用してランクが指示される。
【００２２】
図５は、最高ランクのリンク、この例では最も人気のあるリンク５１５が、３Ｄズーム技術でハイライト状態にされる別の実施形態を示し、一方、図６では、最高ランクのリンク６１５がタマゴッチキャラクタで示されている。他のキャラクタ、例えば、アルファニューメリックキャラクタを使用して、ランクを指示することもできる。他の適当なランクインジケータ、例えば、アイコン、他の記号、シェーディング、カラー、等を使用してもよい。
【００２３】
上述したように、ランキングは、ドキュメント３１０内に指示される。図３、４及び６に示す実施形態では、ランキングは、ドキュメント表示に影響なく示され、ドキュメントの上に重畳される。
【００２４】
図７は、ここに開示する実施形態を具現化するのに適した別のシステムを示す。図７のシステムは、移動ターミナル又は通信装置７００として実施される。このターミナル又は移動通信装置７００は、キーパッド７１０及びディスプレイ７２０を有する。キーパッド７１０は、例えば、マルチファンクション／スクロールキー７３０、ソフトキー７３１、７３２、コールキー７３３、エンドコールキー７３４、及びアルファニューメリックキー７３５のような適当なユーザ入力装置を含む。ディスプレイ７２０は、例えば、タッチスクリーンディスプレイ、又はグラフィックユーザインターフェイスのような適当なディスプレイでよい。ディスプレイは、移動通信装置７００に一体的でもよいし、又は装置７００に接続された周辺ディスプレイでもよい。ポインティング装置、例えば、スタイラス、ペン、又は単にユーザの指を、ディスプレイ７２０と共に使用することができる。別の実施形態では、任意の適当なポインティング装置を使用してもよい。更に別の実施形態では、ディスプレイは、従来のディスプレイでよい。
【００２５】
又、移動通信装置７００は、他の適当な特徴、例えば、カメラ、スピーカ、接続ポート、又は触覚フィードバック特徴も含む。移動通信装置７００は、該移動通信装置の動作を整合すると共に、ユーザ入力を処理して情報をディスプレイ７２０に表示するためのプロセッサ７１８を有する。メモリ７０２は、装置７００がここに開示する動作及び方法を遂行するようにさせるマシン読み取り可能なプログラムソースを記憶するためにプロセッサ７１８に接続される。又、メモリ７０２は、移動通信装置７００に関連した適当な情報、アプリケーション又はプログラム、例えば、電話帳エントリー、カレンダーエントリー、ウェブブラウザ、ｅ−メールクライアント、等も記憶することができる。
【００２６】
上述したコンピューティング装置１１０のオペレーションと同様に、移動通信装置７００は、メモリ７０２のようなローカルメモリ又はリモートメモリのいずれかから１つ以上のドキュメントを検索し表示するように装備することができる。移動通信装置７００は、１つ以上のドキュメント内のリンクを確認し、ここに述べるようにランキングを計算し、そしてランキングインジケータを伴うドキュメントをディスプレイ７２０に与えるように構成される。
【００２７】
ここに開示する実施形態を具現化するのに適した別のシステムは、図８に示すＰＤＡ型装置７００’として実施される。このＰＤＡ７００’は、キーパッド７１０’、タッチスクリーンディスプレイ７２０’、及びこのタッチスクリーンディスプレイ７２０’に使用するためのポインティング装置７５０を有する。更に別の実施形態では、装置は、パーソナルコミュニケータ、タブレットコンピュータ、ラップトップ又はデスクトップコンピュータ、テレビジョン又はテレビジョンセットトップボックス、或いはディスプレイ７２０及びサポート電子装置、例えば、プロセッサ７０１及びメモリ７０２を含むことのできる他の適当な装置でよい。
【００２８】
図９は、移動装置７００、７００’の一般的アーキテクチャーの一実施形態を示すブロック図である。移動通信装置７００、７００’は、移動装置の動作を制御し、ユーザ入力を処理し、そして情報をディスプレイ９０３に表示するためのプロセッサ９１８を有する。このプロセッサ９１８は、一体的なデジタル信号プロセッサ９１７及び一体的なＲＡＭ９１５を含む。プロセッサ９１８は、送信器／受信器回路９１９及びアンテナ９２０を経てのワイヤレスネットワークとの通信を制御する。
【００２９】
音声通信の場合、マイクロホン９０６が、ユーザのスピーチをアナログ信号に変換する電圧レギュレータ９２１を経てプロセッサ９１８へ結合される。アナログ信号は、Ａ／Ｄコンバータ（図示せず）によりデジタル信号に変換され、次いで、プロセッサ９１８内のデジタル信号プロセッサ９１７によりエンコードされる。エンコードされたスピーチ信号は、プロセッサ９１８へ転送され、該プロセッサは、例えば、ＧＳＭターミナルソフトウェアをサポートする。エンコードされた信号は、次いで、送信器／受信器回路９１９により別の装置へ送信される。別の装置からのエンコードされた信号は、送信器／受信器回路９１９により受信される。デジタル信号処理ユニット９１７は、その受信信号をスピーチデコードし、この信号は、プロセッサ９１８からＤ／Ａコンバータ（図示せず）を経てスピーカ９０５へ転送される。次いで、スピーカは、受信信号からサウンドを再生する。
【００３０】
電圧レギュレータ９２１は、スピーカ９０５、マイクロホン９０６、ＬＥＤドライバ９０１（キーパッド９０７及びディスプレイ９０３のバックライトであるＬＥＤ用の）、ＳＩＭカード９２２、バッテリ９２５、底部コネクタ９２７、ＤＣジャック９３１（充電器９３３に接続するための）、及び（ハンズフリー）スピーカ９２５を駆動するオーディオ増幅器９３２、のためのインターフェイスを形成する。
【００３１】
プロセッサ９１８は、移動通信装置７００、７００’に関連した適当な情報及び／又はアプリケーション、例えば、電話帳エントリー、カレンダーエントリー、等を記憶するためのメモリ９０２も含み、又はそれに接続される。
【００３２】
又、プロセッサ９１８は、装置の周辺ユニット、例えば、（フラッシュ）ＲＯＭメモリ９１６、グラフィックディスプレイ９０３、キーパッド９０７、リンギングトーン選択ユニット９２６、及び入呼び検出ユニット９２８、のためのインターフェイスも形成する。別の実施形態では、装置７００、７００’のための適当な周辺装置を含ませることができる。
【００３３】
ＲＡＭ９１５及び／又はフラッシュＲＯＭ９１６のソフトウェアは、プロセッサ９１８が複数の異なるアプリケーション及びファンクションを遂行するためのインストラクションを含む。特に、アプリケーション及びファンクションは、ドキュメントがリンクを含むときを確認し、リンクのランキングに関連した情報を検索し、必要に応じてランキングを計算し、そしてランキングを表示することを含めて、ここに開示する実施形態を含む。
【００３４】
図１０は、ここに開示される実施形態を使用できる通信システム１０００の一実施形態を示す。図１０の通信システム１０００では、セルラー音声コール、ｗｗｗ／ｗａｐブラウジング、セルラービデオコール、データコール、ファクシミリ送信、音楽送信、静止映像送信、ビデオ送信、電子メッセージ送信、及び電子商取引のような種々のテレコミュニケーションサービスを、移動ターミナル１０５０と、他の装置、例えば、別の移動ターミナル１００６、固定電話１０３２又はインターネットサーバー１０２２との間で遂行することができる。移動ターミナル１０５０の異なる実施形態に対し、異なる状態において、上述したテレコミュニケーションサービスのうちの異なるサービスが利用できても、できなくてもよいことに注意されたい。ここに開示する実施形態の態様は、この点におけるサービスの特定のセットに制限されない。
【００３５】
移動ターミナル１０５０、１００６は、上述した移動ターミナル７００、７００’と同様であり、それと同じ能力を有する。移動ターミナル１０５０、１００６は、高周波（ＲＦ）リンク１００２、１００８を通りベースステーション１００４、１００９を経て移動テレコミュニケーションネットワーク１０１０に接続される。この移動テレコミュニケーションネットワーク１０１０は、商業的に入手できる移動テレコミュニケーション規格、例えば、ＧＳＭ、ＵＭＴＳ、Ｄ−ＡＭＰＳ、ＣＤＭＡ２０００、ＦＯＭＡ及びＴＤ−ＳＣＤＭＡ、或いは他のそのような適当な通信規格又はプロトコルに適合する。
【００３６】
移動テレコミュニケーションネットワーク１０１０は、インターネット又はその一部分であるワイドエリアネットワーク１０２０に作動的に接続される。インターネットサーバー１０２２は、データ記憶装置１０２４を有し、そして例えば、インターネットクライアントコンピュータ１０２６と同様に、ワイドエリアネットワーク１０２０に接続することができる。サーバー１０２２は、ｗｗｗ／ｗａｐコンテンツを移動ターミナル１０５０、１００６へサービスすることのできるｗｗｗ／ｗａｐサーバーをホストする。別の実施形態では、サーバー１０２２は、適当なトランザクション指向のプロトコルをホストすることができる。例えば、公衆交換電話ネットワーク（ＰＳＴＮ）１０３０は、移動テレコミュニケーションネットワーク１０１０へ同様に接続される。固定電話１０３２を含む種々の電話ターミナルがＰＳＴＮ１０３０に接続される。
【００３７】
移動ターミナル１０５０は、ローカルリンク１００１を経て１つ以上のローカル装置１００３とローカル通信することもできる。ローカルリンク１００１は、限定された範囲をもつ適当な形式のリンク、例えば、ブルーツース、ユニバーサルシリアルバス（ＵＳＢ）リンク、ワイヤレスユニバーサルシリアルバス（ＷＵＳＢ）リンク、ＩＥＥＥ８０２．１１ワイヤレスローカルエリアネットワーク（ＷＬＡＮ）リンク、ＲＳ−２３２シリアルリンク、等でよい。ローカル装置１００３は、例えば、ローカルリンク１００１を経て移動ターミナル１０００へ測定値を通信することのできる種々のセンサである。上述した実施例は、これに限定されるものではなく、適当な形式のリンクが使用されてもよい。ローカル装置１００３は、「ワールドワイド・インターオペラビリティ・フォー・マイクロウェーブ・アクセス（ＷｉＭＡＸ、ＩＥＥＥ８０２．１６）」、ＷｉＦｉ（ＩＥＥＥ８０２．１１ｘ）又は他の通信プロトコル、を実施するＷＬＡＮを形成するアンテナ及びサポート装置でよい。ＷＬＡＮは、インターネットに接続される。従って、移動ターミナル１０５０は、移動通信ネットワーク１０１０、ＷＬＡＮ、又はその両方を使用してワイヤレスに接続するためのマルチ無線能力を有する。又、移動テレコミュニケーションネットワーク１０１０との通信も、ＷｉＦｉ、ＷｉＭａｘ、又は他の適当なプロトコルを使用して実施することができ、このような通信は、無線スペクトルの非認可部分（例えば、非認可移動アクセス（ＵＭＡ））を使用してもよい。
【００３８】
移動ターミナル１０５０、１００６、又はインターネットクライアント１０２６のいずれかにおいて実施されるように、ここに示す実施形態は、ドキュメント内のリンクを確認し、リンクのランキングに関連した情報を検索し、必要に応じてランキングを計算し、そしてランキングを表示する、という能力を含む。システム１０００のようなネットワークシステムにおいて実施されるときには、ドキュメント内のリンクは、そのドキュメント内の位置や、例えば、移動ターミナル１０５０、１００６、インターネットクライアント１０２６内にローカル記憶された他のドキュメント、を指すことに注意されたい。
【００３９】
或いは又、ドキュメントは、実施装置からリモート記憶されてもよく、例えば、インターネットサーバー１０２２に接続されたデータ記憶装置１０２４にリモート記憶されてもよい。従って、ドキュメントは、多数の装置により、プレゼンテーションのためにアクセスすることができる。ドキュメントは、通信システム内のいかなるアクセス可能な位置に記憶され且つそこから検索されてもよいことを理解されたい。
【００４０】
又、ここに開示する実施形態は、異なるコンピュータにおいて実行される上述したプロセスステップ及びインストラクションを組み込んだソフトウェア及びコンピュータプログラムも含む。図１１は、ここに開示する実施形態の態様を具現化するのに使用される特徴を組み込んだ典型的な装置６００の一実施形態を示すブロック図である。図示されたように、コンピュータシステム１１０２は、別のコンピュータシステム１１０４にリンクされ、これらコンピュータ１１０２及び１１０４は、情報を互いに送信し、又、情報を互いに受信することができる。一実施形態では、コンピュータシステム１１０２は、ネットワーク１１０６と通信するようにされたサーバーコンピュータを含むことができる。コンピュータシステム１１０２及び１１０４は、例えば、モデム、ハードワイヤ接続、又は光ファイバリンクを含む従来の仕方で一緒にリンクすることができる。一般的に、情報は、典型的に通信チャンネルを経て又はＩＳＤＮライン上のダイヤルアップ接続を通して送信される通信プロトコルを使用して、コンピュータシステム１１０２及び１１０４の両方で得ることができる。
【００４１】
コンピュータ１１０２及び１１０４は、一般的に、これらのコンピュータ１１０２及び１１０４がここに開示する方法ステップを遂行するようにさせるマシン読み取り可能なプログラムソースコードを実施するプログラム記憶装置を使用する。ここに開示する実施形態の態様を組み込んだプログラム記憶装置を案出し、形成し、そして光学、磁気特性及び／又は電子特性を使用するマシンのコンポーネントとして使用して、ここに開示する手順及び方法を遂行することができる。別の実施形態では、プログラム記憶装置は、コンピュータにより読み取って実行することのできるディスケット又はコンピュータハードドライブのような磁気媒体を含む。更に別の実施形態では、プログラム記憶装置は、光学ディスク、リードオンリメモリ（ＲＯＭ）フロッピー（登録商標）ディスク、並びに半導体材料及びチップを含むことができる。
【００４２】
又、コンピュータ１１０２及び１１０４は、記憶されたプログラムを実行するためのマイクロプロセッサを含んでもよい。コンピュータ１１０２は、情報及びデータを記憶するためのデータ記憶装置１１０８をそのプログラム記憶装置に含んでもよい。プロセスを組み込んだコンピュータプログラム又はソフトウェア、及びここに開示する実施形態の態様を組み込んだ方法は、１つ以上のコンピュータ１１０２及び１１０４において従来のプログラム記憶装置に記憶される。一実施形態では、コンピュータ１１０２及び１１０４は、ユーザインターフェイス１１１０及びディスプレイインターフェイス１１１２を含み、そこから、ここに開示する実施形態の態様をアクセスすることができる。ユーザインターフェイス１１１０及びディスプレイインターフェイス１１１２は、問合せ及びコマンドをシステムへ入力すると共に、コマンド及び問合せの結果を与えることができるようにする。
【００４３】
図１２は、ここに開示する実施形態に基づく方法のフローチャートである。ユーザは、一般的に、例えば、コンピューティング装置１１０、移動ターミナル７００、７００’、１００６、１０５０、又はシステム１０２６を経て、ドキュメント１２０５を要求する。ドキュメントに存在するリンクが識別され（１２１０）、ランキングが指定される（１２１５）。少なくともリンクのランキングのサブセットがドキュメント内に表示される（１２２０）。
【００４４】
ここに開示する実施形態は、一般に、ドキュメント内のリンク及びそれらリンクの少なくとも幾つかに関連したランキングを見る能力をユーザに与える。これは、ドキュメントに関する付加的な情報を与えると共に、ドキュメント内に便利に情報を与える。ランキングは、ナビゲートをする上でユーザを更に助けると共に、他の者にとってどんなリンクが価値のあるもので、又、どんなリンクが価値のないものかの理解を与えることもできる。
【００４５】
以上の説明は、本発明の実施形態を例示するものに過ぎないことを理解されたい。当業者であれば、ここに開示する実施形態から逸脱せずに種々の変更や修正が案出できるであろう。従って、前記実施形態は、特許請求の範囲内に包含されるこのような全ての変更、修正及び変形を包含することが意図される。
【符号の説明】
【００４６】
１００：システム
１０５：ユーザ
１１０：コンピューティング装置
１１５：ドキュメント
１２０：リンク
１２５：ランキング
１３０：ブラウザ
１３５：ネットワーク
１４０：コンピュータ
１４５：ディスプレイ
２１０：ユーザインターフェイス
２１５：ディスプレイ
２２０：入力装置
２２５：データ記憶装置
２３０：回路
３０５：ブラウザ
３１０：ドキュメント
３１５：最高をアクセスしたリンク
３２０：次の最も人気のあるリンク
４１５：最も人気のあるリンク
４２０：次に最も人気のあるリンク
７００：移動ターミナル
７０２：メモリ
７１０：キーパッド
７１８：プロセッサ
７２０：ディスプレイ
７２０：ディスプレイ
７３０：マルチファンクション／スクロールキー
７３１、７３２：ソフトキー
７３３：コールキー
７３４：エンドコールキー
７３５：アルファニューメリックキー
【図１】
2010515142.tif 000003
【図２】
2010515142.tif 000004
【図３】
2010515142.tif 000005
【図４】
2010515142.tif 000006
【図５】
2010515142.tif 000007
【図６】
2010515142.tif 000008
【図７】
2010515142.tif 000009
【図８】
2010515142.tif 000010
【図９】
2010515142.tif 000011
【図１０】
2010515142.tif 000012
【図１１】
2010515142.tif 000013
【図１２】
2010515142.tif 000014
【国際調査報告】
2010515142.tif 000015
2010515142.tif 000016